(57)【要約】    【課題】  放電発光用の電荷を蓄積する主コンデンサの電圧を小型、かつ安価な構成で検出し得るストロボ装置を提供する。    【解決手段】  フライバックコンバータを構成するスイッチングトランジスタ４ａがＯＦＦされると、トランス６の２次側に２次電流が放出され、この２次電流により主コンデンサ１６が充電されると共にトランス６の１次側に１次電圧が誘起されるので、この１次電圧をトランス６の１次側に設けた分圧抵抗７，８により検出する。カメラ回路部１７は、スイッチングトランジスタ４ａがＯＦＦされてから所定時間経過した時点で、分圧抵抗７，８により検出された１次電圧を記憶用コンデンサ２２にラッチする動作を開始し、この１次電圧を用いて主コンデンサ１６の電圧を検出する。【選択図】      図５
2005317278.tif 000002
【特許請求の範囲】
【請求項１】
電池の電圧をスイッチング素子を介してトランスの１次巻線に供給し、該トランスの２次巻線の昇圧された２次電圧により放電発光用の電荷を蓄積する主コンデンサを充電するストロボ装置において、
前記トランスの１次側に設けられ、前記主コンデンサの充電電流に対応する所定の電圧を検出する第１の検出手段と、
前記第１の検出手段により検出された電圧をラッチするラッチ手段と、
前記ラッチ手段によりラッチされた電圧を用いて前記主コンデンサの電圧を検出する第２の検出手段と、
を有することを特徴とするストロボ装置。
【請求項２】
前記スイッチング素子は、ＰＮＰトランジスタ、又はＰチャネルＦＥＴにより構成され、前記第１の検出手段は、前記トランスの１次電圧を検出し、前記ラッチ手段は、該第１の検出手段により検出された１次電圧をラッチし、前記第２の検出手段は、該ラッチ手段によりラッチされた１次電圧に基づいて前記主コンデンサの電圧を検出することを特徴とする請求項１に記載のストロボ装置。
【請求項３】
前記電池、スイッチング素子、及びトランスは、該スイッチング素子がＯＦＦされることにより該トランスが２次電流を放出するフライバックコンバータを構成し、前記ラッチ手段は、前記第１の検出手段により検出された電圧を該スイッチング素子がＯＦＦされてから所定時間経過した時点でラッチ動作を開始することを特徴とする請求項１又は２に記載のストロボ装置。
【請求項４】
前記スイッチング素子は、ＮＰＮトランジスタ、又はＮチャネルＦＥＴにより構成され、前記第１の検出手段は、前記電池の電圧と、該ＮＰＮトランジスタ、又はＮチャネルＦＥＴと前記トランスの１次巻線との接続点の電圧とを検出し、前記ラッチ手段は、該２つの電圧を個別にラッチし、前記第２の検出手段は、該個別にラッチされた２つの電圧の差を算出することにより前記トランスの１次電圧を求め、該１次電圧に基づいて前記主コンデンサの電圧を検出することを特徴とする請求項１に記載のストロボ装置。
【請求項５】
前記電池、スイッチング素子、及びトランスは、該スイッチング素子がＯＦＦされることにより該トランスが２次電流を放出するフライバックコンバータを構成し、前記ＮＰＮトランジスタ、又はＮチャネルＦＥＴと前記トランスの１次巻線との接続点の電圧をラッチするラッチ手段は、該スイッチング素子がＯＦＦされてから所定時間経過した時点でラッチ動作を開始することを特徴とする請求項４に記載のストロボ装置。
【請求項６】
前記スイッチング素子は、ＮＰＮトランジスタ、又はＮチャネルＦＥＴにより構成され、前記第１の検出手段は、該ＮＰＮトランジスタ、又はＮチャネルＦＥＴと前記トランスの１次巻線との接続点の電圧とを検出し、前記ラッチ手段は、該接続点の電圧をラッチし、前記第２の検出手段は、カメラの動作を制御するカメラ回路部内に設けられた電池電圧検出回路から前記電池の電圧を取得してラッチに係る接続点の電圧との差を算出することにより前記トランスの１次電圧を求め、該１次電圧に基づいて前記主コンデンサの電圧を検出することを特徴とする請求項１に記載のストロボ装置。
【請求項７】
前記電池、スイッチング素子、及びトランスは、該スイッチング素子がＯＦＦされることにより該トランスが２次電流を放出するフライバックコンバータを構成し、前記ラッチ手段は、該スイッチング素子がＯＦＦされてから所定時間経過した時点でラッチ動作を開始することを特徴とする請求項６に記載のストロボ装置。
【請求項８】
前記第２の検出手段は、前記スイッチング素子がＯＦＦされる毎に前記主コンデンサの電圧を検出することを特徴とする請求項３，５，７の何れかに記載のストロボ装置。
【請求項９】
前記第２の検出手段は、前記スイッチング素子が複数回ＯＦＦされる毎に前記主コンデンサの電圧を検出することを特徴とする請求項３，５，７の何れかに記載のストロボ装置。
【請求項１０】
電池の電圧をＰＮＰトランジスタ又は  ＰチャネルＦＥＴを介してトランスの１次巻線に供給し、該トランスの２次巻線の昇圧された２次電圧により放電発光用の電荷を蓄積する主コンデンサを充電するストロボ装置において、
定電圧電源とトランスの１次巻線との間に接続された分圧抵抗の分圧電圧により前記主コンデンサの電圧を検出する検出手段を有することを特徴とするストロボ装置。
【発明の詳細な説明】
【技術分野】
【０００１】
本発明は、カメラに使用されるストロボ装置に関し、特に放電用の電荷を蓄積するコンデンサ（主コンデンサ）の電圧の検出技術に関する。
【背景技術】
【０００２】
従来、放電発光用の電荷を蓄積する主コンデンサの電圧を検出する機能を備えた図１５のようなストロボ装置が実現されている（特開平０７−２７０８６６号公報参照）。図１５において、カメラ回路部１７は、ラインＬａを介してスイッチングトランジスタ４をＯＮ／ＯＦＦ制御して発振させる。この発振動作により電池１の出力電圧はトランス６により昇圧され、この昇圧された電圧に基づいて主コンデンサ１６が充電される。この際、カメラ回路部１７は、ラインＬｂを介してトランス６の２次側の電圧（分圧抵抗４０，４１により分圧された電圧）を取り込み、この２次側の電圧に基づいて主コンデンサ１６の電圧を算出する。なお、逆流防止コンデンサ４３が設けられているため、主コンデンサ１６に蓄積された電荷が分圧抵抗４０，４１を介して放電されることはない。
【０００３】
そして、カメラ回路部１７は、主コンデンサ１６が十分に充電されると、ラインＬｄを介してトリガ信号をトリガ回路１４に与えることにより、主コンデンサ１６に蓄積された電荷を放電管１５により放電させて閃光を発光させる。
【特許文献１】特開平０７−２７０８６６号公報
【発明の開示】
【発明が解決しようとする課題】
【０００４】
しかしながら、図１５に示した従来のストロボ装置では、主コンデンサ１６の電圧（充電状態）を検出するための素子（分圧抵抗４０，４１、逆流防止ダイオード４３）は、３００Ｖを超える高電圧となるトランス６の２次側に設けられているため、それら分圧抵抗４０，４１、逆流防止ダイオード４３としては大型で高価なものを使用せざるを得なかった。
【０００５】
そこで、本発明は、放電発光用の電荷を蓄積する主コンデンサの電圧を小型、かつ安価な構成で検出し得るストロボ装置を提供することを目的とする。
【課題を解決するための手段】
【０００６】
上記目的を達成するため、本発明は、電池の電圧をスイッチング素子を介してトランスの１次巻線に供給し、該トランスの２次巻線の昇圧された２次電圧により放電発光用の電荷を蓄積する主コンデンサを充電するストロボ装置において、前記トランスの１次側に設けられ、前記主コンデンサの充電電流に対応する所定の電圧を検出する第１の検出手段と、前記第１の検出手段により検出された電圧をラッチするラッチ手段と、前記ラッチ手段によりラッチされた電圧を用いて前記主コンデンサの電圧を検出する第２の検出手段とを有している。
【発明の効果】
【０００７】
本発明によれば、放電発光用の電荷を蓄積する主コンデンサの充電電流に対応する所定の電圧を検出する第１の検出手段をトランスの１次側に設け、この検出された電圧をラッチ手段でラッチし、ラッチされた電圧を用いて第２の検出手段により主コンデンサの電圧を検出するように構成したので、主コンデンサの電圧を小型、かつ安価な構成で検出し得るストロボ装置を提供することが可能となる。
【発明を実施するための最良の形態】
【０００８】
以下、本発明を実施するための最良の形態を、図面を参照しながら詳細に説明する。
【０００９】
［第１の実施の形態］
図１は、本発明の第１の実施の形態に係るストロボ装置の構成を示す回路図であり、ここでは、本ストロボ装置は、銀塩カメラ、デジタルカメラ等のカメラに内蔵されていることを想定している（後述する第２〜第４の実施の形態も同様）。
【００１０】
図１において、電池１、電源コンデンサ２は、トランス６の１次巻線Ｐに並列に接続されている。また、分圧抵抗７，８は、後述する定電圧回路１２０から発生される定電圧電源Ｖｃｃ（Ｖｃｃライン）とトランス６の１次巻線Ｐの一端（電池１の陽極に接続された端子）に接続されている。発振制御用のスイッチング素子としては、ＰＮＰトランジスタ４ａにより構成されているので、第１の実施の形態の説明では、発振制御用のスイッチング素子をスイッチングトランジスタ４ａと呼ぶこととする（第２の実施の形態も同様）。このスイッチングトランジスタ４ａのエミッタは、電池１の陽極に接続され、コレクタはトランス６の１次巻線Ｐの一端に接続されている。また、スイッチングトランジスタ４ａのエミッタ−ベース間には抵抗３が接続され、ベースは、抵抗５、及びラインＬａを介してカメラ回路部１７に接続されている。
【００１１】
なお、トランス６の１次巻線Ｐと２次巻線Ｓの極性は互いに逆になっている。換言すれば、本ストロボ装置は、昇圧回路としてフライバックコンバータを用いている。また、分圧抵抗７，８は、上記Ｖｃｃラインとトランス６の１次巻線Ｐの一端（（電池１の陽極に接続された端子）との間の電圧（１次電圧）を分圧するものであり、これら分圧抵抗７，８の中点は、ラインＬｂを介してカメラ回路部１７に接続され、カメラ回路部１７は、ラインＬｂを介して取得した１次電圧に基づいて主コンデンサ１６の充電電圧を算出する。
【００１２】
トランス６の２次巻線Ｓには、トリガ回路１４、放電管１５、主コンデンサ１６が並列に接続されている。また、トランス６の２次巻線Ｓの一端には、高圧整流ダイオード９のカソードが接続され、高圧整流ダイオード９のアノードは抵抗１０を介して電池１の負極、すなわちアースラインに接続され、これらトランス６の２次巻線Ｓ、高圧整流ダイオード９、抵抗１０は、主コンデンサ１６の充電ループを構成している。
【００１３】
抵抗１０の高圧整流ダイオード９との接続点は、トランジスタ１１のエミッタに接続され、抵抗１０の他端は、トランジスタ１１のベースに接続されている。このトランジスタ１１のコレクタには、抵抗１２と直列に接続された抵抗１３の一端が接続され、抵抗１２の他端は上記Ｖｃｃラインに接続され、抵抗１２，１３の中点はラインＬｃを介してカメラ回路部１７に接続されている。このトランジスタ１１は、トランス６の２次電流の放出状態を検出するために利用される。
【００１４】
トリガ回路１４の入力端子はラインＬｄを介してカメラ回路部１７に接続され、出力端子は放電管１５の透明電極（起動電極）に接続されている。
【００１５】
次に、カメラ回路部１７の構成を説明する。定電圧回路１２０は、マイクロコンピュ−タ（以下、マイコンと呼ぶ）１５０を中核とする制御部１２５からのＶｃｃＥＮ（ＥＮ：イネーブル）信号に基づいて、定電圧電源Ｖｃｃを後述する各回路等に供給する。スイッチ回路１２１は、カメラの各種のスイッチの状態や変化などの情報ＳＷＤをマイコン１２５に送信する。温度検出回路１２２は、温度を検出する回路であり、マイコン１５０から受信したイネーブル信号（ＴＨＥＮ）に応答して、温度データ（ＴＨＤ）をマイコン１５０に送信する。
【００１６】
フィルム感度検知回路１２３は、フィルム感度及び駒数などの情報を得る回路であり、マイコン１５０から受信したイネーブル信号（ＦＬＭＥＮ）に応答して、フィルム感度、駒数等のフィルム情報（ＦＬＭＤ）をマイコン１５０に送信する。バッテリチェック回路１２４は、電池１の残容量（電圧）をチェックする回路であり、マイコン１５０から受信したチェック信号（ＢＡＴＣＫ）に応答して、マイコン１５０に電池１の残容量（ＢＡＴＤ）を送信する。シャッタ駆動回路１２６は、シャッタを駆動制御する回路であり、マイコン１５０から受信したシャッタ制御信号（ＳＨＤＲＶ）に応答して、シャッタを駆動制御する。測距回路１２７は、被写体距離を測定する回路であり、マイコン１５０から受信したイネーブル信号（ＡＦＥＮ）に応答して、測距データ（ＡＦＤ）をマイコン１５０に送信する。測光回路１２８は、入射光量（被写体の輝度）を測定する回路であり、マイコン１５０から受信したイネーブル信号（ＡＥＥＮ）に応答して測光データ（ＡＥＤ）をマイコン１５０に送信する。
【００１７】
表示回路１２９は、ＬＣＤ等の表示器に対する表示制御を行う回路であり、マイコン１５０から受信したイネーブル信号（ＤＩＳＰＥＮ）に応答して、マイコン１５０からの表示データ（ＤＩＳＰ）を表示器に表示する。レンズ駆動回路１３０は、各種のレンズを移動制御する回路であり、マイコン１５０から受信したレンズ駆動信号（ＬＥＮＳＺＤＲＶ）に応答して、レンズを移動制御する。フィルム駆動回路１３１は、フィルムの巻上げ（駒送り）、巻き戻し等を行う回路であり、マイコン１５０からのフィルム駆動信号（ＦＩＬＭＤＲＶ）に応答して、フィルムを駆動制御する。
【００１８】
なお、上記ラインＬｂは、制御部１２５内のＡ／Ｄコンバータ１５１に接続され、ＥＥＰＲＯＭ１５４には、後述する図２〜４のフローチャートに対応するプログラム等のプログラムが格納されている。
【００１９】
次に、第１の実施の形態における撮影動作を図２，３のフローチャートに従って説明する。なお、ここでは、カメラ回路部１７の電源は既に投入された状態であり、マイコン１５０は、省電力モードとなっていて動作が停止しているものとする。
【００２０】
マイコン１５０は、スイッチ検知回路１２１から電源スイッチのＯＮ信号が入力されると、省電力モードから通常電力モードに復帰する。すなわち、マイコン１５０は、定電圧回路１２０にＶｃｃＥＮ信号を与えることにより、定電圧回路１２０により電池１の電荷を昇圧させて定電圧化させ、その定電源電圧であるＶｃｃを各回路に供給させる等の初期設定を行う（ステップＳ１）。
【００２１】
次に、マイコン１５０は、スイッチ検知回路１２１からスイッチ検知信号が入力されるのを待ち（ステップＳ２）、レリーズボタンの半押し操作に対応する第１ストローク信号（ＳＷ１ＯＮ信号）が入力された場合は（ステップＳ３）、測距、測光等に係るカウンタをリセットする（ステップＳ４）。そして、マイコン１５０は、バッテリチェック回路１２４にバッテリチェックを指示して電池１の残存容量（電力）を得る（ステップＳ５）。マイコン１５０は、撮影に必要な電力が電池１に残っていれば（ステップＳ６）、ＡＦＥＮ信号を測距回路１２７に与えて被写体までの距離を測定させ、その測距データを得る（ステップＳ７）。次に、マイコン１５０は、ＡＥＥＮ信号を測光回路１２８に与えて被写体の輝度を測定させ、その測光（輝度）データを得る（ステップＳ８）。
【００２２】
そして、マイコン１５０は、輝度データとフィルム感度検知回路１２３から得られたフィルムの感度データとに基づいて、被写体輝度が所定輝度より低いか否かを判別する（ステップＳ９）。その結果、被写体輝度が所定輝度より低ければ、マイコン１５０は、フラッシュモードを設定する（ステップＳ１０）。マイコン１５０は、フラッシュモードではストロボ装置の充電、すなわち主コンデンサ１６の充電を行う。
【００２３】
ここで、フラッシュモードでの充電処理を、図３のフローチャートに従って説明する。
【００２４】
マイコン１５０は、充電時間が非常に長くなった場合に充電を打ち切るために、充電タイマをスタートする（ステップＳ１０１）。この充電タイマには、例えば１０〜１５秒程度の時間がセットされている。次に、マイコン１５０は、ラインＬａを介してスイッチングトランジスタ４ａのベースにＬｏｗレベルの信号を与えることにより、スイッチングトランジスタ４ａをＯＮする（ステップＳ１０２）。この場合、スイッチングトランジスタ４ａがＯＮすると、電池１からの電流がトランス６の１次巻線Ｐに供給される。電池１の内部抵抗が低い場合は、トランス６の１次電流Ｉ１は、トランス６の１次インダクタンスをＬ、電池１の電圧をＥ、スイッチングトランジスタ４ａのＯＮ時間（通電時間）をｔとすれば、
【００２５】
［数１］
Ｉ１＝（Ｅ／Ｌ）×ｔ
として示すことができる。従って、通電時間ｔを可変することにより、所望の１次電流を設定することができる。
【００２６】
トランス６に１次電流が流れている期間は、２次巻線Ｓに電圧が発生するが、トランス６の２次巻線Ｓは１次巻線Ｐと逆極性となっているため、高圧整流ダイオード９には電流が流れず、２次巻線Ｓは開放状態と等しくなり、１次巻線Ｐに供給されたエネルギーは全てトランス６のコアに蓄積される。
【００２７】
マイコン１５０は、スイッチングトランジスタ４ａを所定時間だけＯＮした後にＯＦＦする、（ステップＳ１０３）。この場合、スイッチングトランジスタ４ａがＯＦＦされることにより、トランス６の２次巻線Ｓに発生していた電圧の極性が反転し、２次電流が放出される。この場合、１次巻線Ｐに流れていた電流をＩｐとすれば、トランス６のコアに蓄積されていたＬＩｐ２  ／２のエネルギーが２次側に放出され、このエネルギーにより主コンデンサ１６が充電される。
【００２８】
主コンデンサ１６の充電電圧は、２次電流により誘導され電池１の負極に対して負の１次電圧として１次巻線Ｐに発生する。トランス６の巻線抵抗が小さい場合、この負の１次電圧は、主コンデンサ１６の充電電圧に比例しており、トランス６の２次・１次巻線比の逆数で決定される。また、この負の１次電圧は、Ｖｃｃラインに一端が接続された分圧抵抗７，８により、正の分圧電圧Ｖｂとして検出される。分圧抵抗７，８により分圧された正の分圧電圧Ｖｂは、ラインＬｂを介して制御部１２５に入力され、Ａ／Ｄコンバータ１５１によりＡ／Ｄ変換されてマイコン１５０に入力される。そして、マイコン１５０は、トランス６の１次巻線Ｐの巻数に対する２次巻線Ｓの巻数の比をｎ｛ｎ＝（２次巻線の巻数）／（１次巻線の巻数）｝、分圧抵抗７，８の抵抗値をＲ７，Ｒ８とすると、主コンデンサ１６の電圧Ｖｃｍとの関係は、
【００２９】
［数２］
Ｖｃｍ＝ｎ×｛（Ｖｃｃ−Ｖｂ）×（Ｒ７／Ｒ８）−Ｖｂ｝
として示される。
【００３０】
但し、主コンデンサ１６のフル充電電圧検出時の分圧電圧Ｖｂが負電位とならないよう以下のような分圧抵抗７，８の定数を与える。フル充電電圧をＶｆｕｌｌとすれば
【００３１】
［数３］
Ｖｂ＝（Ｒ７×Ｖｃｃ−Ｒ８×Ｖｆｕｌｌ／ｎ）／（Ｒ７＋Ｒ８）＞０
∴  Ｒ７／Ｒ８＞Ｖｆｕｌｌ／（ｎ×Ｖｃｃ）
として分圧抵抗７，８を決定する。
【００３２】
図１４は主コンデンサ１６の充電電圧と分圧抵抗７，８の分圧電圧との関係を示しており、主コンデンサ１６の充電に伴い分圧電圧は低下する。この分圧電圧Ｖｂによりマイコン１５０は主コンデンサ１６の電圧Ｖｃｍが所定電圧に達したか否かを判別することにより、充電が完了したか否かを判別し（ステップＳ１０４）、主コンデンサ１６の電圧Ｖｃｍが所定電圧に達しておらず充電が完了していなければ、トランジスタ１１がＯＮしているか否かを判別することにより、２次電流の放出が完了したか否かを判別する（ステップＳ１０５）。この場合、２次電流の放出が終了するまでの間は、トランジスタ１１はＯＮし、ラインＬｃの電位はＬｏｗレベルとなっており、２次電流の放出が終了すると、トランジスタ１１はＯＦＦし、ラインＬｃの電位はＨｉｇｈレベルとなる。そこで、マイコン１５０は、ラインＬｃの電位がＨｉｇｈレベルになった場合に２次電流の放出が終了したものと判定する。
【００３３】
マイコン１５０は、２次電流の放出が終了すると、充電タイマが所定時間をカウントし終えたか否かを判別し（ステップＳ１０６）、充電タイマが所定時間をカウントし終えていなければ、ステップＳ１０２に戻ることにより、スイッチングトランジスタ４ａのＯＮ／ＯＦＦスイッチングによる主コンデンサ１６の充電処理を継続する。
【００３４】
一方、充電タイマが所定時間をカウントし終えていれば、すなわち、主コンデンサ１６が所定時間内に所定電圧まで充電されない場合は、充電ＮＧを示すべく充電フラグに「０」をセットし（ステップＳ１０７）、充電タイマをリセットして（ステップＳ１０９）、図２，３の主ルーチンに戻る。マイコン１５０は、ステップＳ１０４で主コンデンサ１６が所定電圧まで充電されたと判別した場合は、充電ＯＫを示すべく充電フラグに「１」をセットし（ステップＳ１０８）、充電タイマをリセットして（ステップＳ１０９）、図２，３の主ルーチンに戻る。
【００３５】
図２，３の主ルーチンにおいて、ステップＳ１０のフラッシュモード処理を抜けると、上記の充電フラグを参照することにより、主コンデンサ１６の充電がＯＫであるか否かを判別する（ステップＳ１１）。その結果、充電がＮＧであれば、マイコン１５０は、その旨を表示回路１２９により表示させて（図２，３ではステップを省略）、ステップＳ２に戻る。
【００３６】
主コンデンサ１６の充電がＯＫであれば、マイコン１５０は、レリーズボタンの半押し操作に対応する第１ストローク信号（ＳＷ１ＯＮ信号）が未だ入力されているか否かを判別し（ステップＳ１２）、第１ストローク信号（ＳＷ１ＯＮ信号）が入力されていなければ、ステップＳ２に戻る。一方、第１ストローク信号（ＳＷ１ＯＮ信号）が未だ入力されていれば、マイコン１５０は、レリーズボタンの全押し操作に対応する第２ストローク信号（ＳＷ２ＯＮ信号）が入力されたか否かを判別し（ステップＳ１３）、第２ストローク信号（ＳＷ２ＯＮ信号）が入力されていなければ、ステップＳ１２に戻る。
【００３７】
マイコン１５０は、第２ストローク信号（ＳＷ２ＯＮ信号）が入力された場合は、ステップＳ７で取得した測距データに基づいてレンズ駆動回路１３０を制御することにより、焦点調整を行い（ステップＳ１４）、さらに、ステップＳ７で取得した被写体の輝度データとフィルム感度データに基づいてシャッタ駆動回路１２６を制御することにより、所定時間だけ露光させると共に、被写体の輝度が低く閃光が必要な場合には、測距データとフィルム感度データに応じた適正な絞り値で閃光を発光させる（ステップＳ１５）。
【００３８】
閃光を発光させる場合は、マイコン１５０は、図１のラインＬｄにＨｉｇｈレベルの信号を与える。ラインＬｄにＨｉｇｈレベルの信号が与えられると、トリガ回路１４は、高圧のパルス電圧を放電管１５のトリガ電極に与えて放電管１５を励起する。この励起により放電管１５のインピーダンスは一気に低下し、主コンデンサ１６の充電エネルギー（電荷）が一気に放電されて閃光が発光される。なお、マイコン１５０は、閃光を発光させた場合は、フラッシュフラグに「１」をセットする。
【００３９】
マイコン１５０は、露光動作が完了すると、レンズ駆動回路１３０を制御することにより、レンズを焦点位置から初期位置に戻し（ステップＳ１６）、フィルム駆動回路１３１を制御してフィルムを１駒分巻き上げさせる（Ｓ１７）。
【００４０】
次に、マイコン１５０は、フラッシュフラグに「１」がセットされているか否かを判別し（ステップＳ１８）、フラッシュフラグに「１」がセットされている場合、すなわち、今回の撮影で閃光が発光された場合は、フラッシュモードを設定してステップＳ１０と同様に、主コンデンサ１６の充電を行なって（ステップＳ１９）、ステップＳ２に戻る。一方、今回の撮影で閃光が発光されなかった場合は、主コンデンサ１６の充電を行なうことなく、ステップＳ２に戻る。
【００４１】
以上説明したように、第１の実施の形態では、フライバックコンバータを用いて主コンデンサ１６を充電するストロボ装置において、トランス６の１次側に定電圧電源Ｖｃｃを介して分圧抵抗７，８を設け、スイッチングトランジスタ４ａのＯＦＦ期間、すなわちトランス６の２次電流の放出期間にトランス６の１次側に誘起される１次電圧を分圧抵抗７，８により検出し、この１次電圧を用いて主コンデンサ１６の電圧を検出している。この場合、主コンデンサ１６の充電電流（２次電流）に対応する上記の１次電圧を検出する分圧抵抗７，８は、低電圧回路であるトランス６の１次側に設けているので、小型・低価格のものを使用することができる。
【００４２】
また、第１の実施の形態では、図１４に示した従来のストロボ装置で用いていた大型・高価格の平滑用コンデンサ、逆流防止ダイオードを用いることなく主コンデンサ１６の電圧を検出している。従って、第１の実施の形態では、ストロボ装置の小型化・低価格化を図ることが可能となる。また、ストロボ装置を構成する回路素子の大部分を集積回路に取り込むことも可能となり、この点でも小型化・低価格化を促進することが可能となる。
【００４３】
なお、第１の実施の形態ではソフトウェアにより発振制御を行っているが、２次電流の放出が終了したことを検出し、ワンショット回路を用いてハードウェアにより発振制御を行うことも可能である（第２〜第４の実施の形態も同様）。また、主コンデンサ１６の電圧が所定レベルに達したことを、Ａ／Ｄコンバータ１５１を使用して検出することなく、主コンデンサ１６の電圧を基準電圧と比較するコンパレータを使用して検出することも可能である（第２〜第４の実施の形態も同様）。さらに、発振制御用のスイッチング素子としては、ＰＮＰトランジスタの代わりにＰチャネルＦＥＴを使用してもよい（第２の実施の形態も同様）。
【００４４】
［第２の実施の形態］
図５は、本発明の第２の実施の形態に係るストロボ装置の構成を示す回路図であり、この第２の実施の形態に係るストロボ装置では、図１に示した第１の実施の形態に係るストロボ装置に対して、ＯＰアンプ１８，２３、抵抗１９、スイッチング素子２１、及び記憶用コンデンサ２２により構成されたラッチ回路が追加されている。
【００４５】
ＯＰアンプ１８の非反転入力端子は分圧抵抗７，８の中点に接続されている。また、ＯＰアンプ１８の反転入力端子は出力端子に直結されてボルテージフォロアとして構成されることにより、ＯＰアンプ１８のゲインは１倍となっている。また、ＯＰアンプ１８の出力端子は、抵抗１９、及びスイッチング素子２１を介して記憶用コンデンサ２２に接続されている。
【００４６】
ＯＰアンプ２３は、ＯＰアンプ１８と同様に、その反転入力端子は出力端子に直結されてボルテージフォロアとして構成されることにより、ゲインは１倍となっている。また、ＯＰアンプ２３の非反転入力端子は、記憶用コンデンサ２２とスイッチング素子２１に接続され、出力端子はラインＬｂを介してカメラ回路部１７のＡ／Ｄコンバータ１５１に接続されている。
【００４７】
このような構成の下で、マイコン１５０は、第１の実施の形態と同様に、図２、３のフローチャートに示したような撮影動作を制御する。ただし、ステップＳ１０，Ｓ１９のフラッシュモードにおける充電処理では、図６のフローチャートに示した処理を行う。この図６の処理は、図４に示した第１の実施の形態に係る充電処理に対してステップＳ１１４の動作が追加された点だけが異なり、他の動作は第１の実施の形態と全く同様なので、ここでは、ステップＳ１１４だけを説明する。
【００４８】
前述のように、スイッチングトランジスタ４ａがＯＮされた後にＯＦＦされると、トランス６のコアに蓄積されていたエネルギーが２次側に放出され、このエネルギーにより主コンデンサ１６が充電される。この際、図７に示したように、主コンデンサ１６の電圧が上昇することにより、２次電流の放出時間は短くなる。また、主コンデンサ１６の電圧をＶｃｍ、１次巻線Ｐと２次巻線Ｓの巻数の比をｎとすれば、２次電流の放出により、トランス６の１次巻線ＰにはＶｃｍ／ｎの１次電圧が誘起されると共に、この１次電圧にはトランス６の漏れ磁束による減衰振動ノイズが重畳される。
【００４９】
図８〜図１０は、主コンデンサ１６の電圧が低、中、高の場合の次の各波形を示しており、ａは１次電流波形、ｂは２次電流波形、ｃはトランス６の１次電圧、ｄはＯＰアンプ２３の出力電圧、ｅはカメラ回路部１７内のＡ／Ｄコンバータ１５１による１次電圧の検出タイミングを示している。図８〜図１０に示したように、ａの１次電流が流れた後にｂの２次電流が流れ、この２次電流によりｃの１次電圧が誘起されるが、この１次電圧には、トランス６の漏れ磁束による減衰振動ノイズが重畳されている。
【００５０】
そこで、マイコン１５０は、この減衰振動ノイズが少なくなる所定時間ｔ後に、ラインＬｅの電位を１時的にＬｏｗレベルからＨｉｇｈレベルに切り換えてスイッチング素子２１をＯＮすることにより、１次電圧を記憶用コンデンサ２２に蓄積して記憶させ（ステップＳ１１４）、その１次電圧をラインＬｂを介してＡ／Ｄコンバータ１５１に取り込むことにより、トランス６の漏れ磁束による減衰振動ノイズを含まない１次電圧を検出するようにしている。
【００５１】
また、図８〜図１０に示したように、充電により主コンデンサ１６の電圧が高くなっていくに従って２次電流の放出時間は短くなっていき、この２次電流により誘起される１次電圧の誘起時間も短くなっていく。そして、図１０の段階では、Ａ／Ｄコンバータ１５１による検出タイミングでは、既に２次電流の放出は終了し、この２次電流により誘起される１次電圧を検出することができなくなってしまう。第１の実施の形態では、主コンデンサ１６の電圧が高くなり２次電流の放出時間は短くなっても、この２次電流により誘起される１次電圧を確実に検出するために、マイコン１５０として比較的動作速度の速いものを使用することにより、Ａ／Ｄコンバータ１５１による検出タイミングを早くしているが、動作速度の速いマイコンは高価である。
【００５２】
そこで、第２の実施の形態では、ストロボ装置にラッチ回路を設け、このラッチ回路により上記の減衰振動ノイズが少なくなる所定時間ｔ後に１次電圧を一旦ラッチし、そのラッチ回路から１次電圧をＡ／Ｄコンバータ１５１に取り込むことにより、動作速度の遅い安価なマイコンでも、減衰振動ノイズを除いた正確な１次電圧を確実に取り込めるようにしている。換言すれば、第２の実施の形態では、第１の実施の形態よりも安価な構成で主コンデンサの電圧を正確、かつ確実に検出することが可能となる。
【００５３】
なお、第１、第２の実施の形態では、スイッチングトランジスタ４ａのスイッチング動作を一定の間隔で行うと共に、そのスイッチング動作を行う毎に（ターンＯＦＦする毎に）１次電圧を検出していた。しかし、主コンデンサ１６の充電電圧が上昇すると、前述のように２次電流の放出時間が短くなる。従って、スイッチングトランジスタ４ａがターンＯＦＦする毎に１次電圧を検出するように構成した場合には、上記のシーケンスでは１次電圧をＡ／Ｄコンバータ１５１により検出した後にスイッチングトランジスタ４ａをターンＯＮするため、主コンデンサ１６の充電電圧が上昇して２次電流の放出時間が短くなり２次電流の放出が早急に完了しても、直ちにスイッチングトランジスタ４ａがターンＯＮされることはなく、２次電流の放出完了からスイッチングトランジスタ４ａのターンＯＮまでの時間が充電時間のロスタイムとなり、主コンデンサ１６の充電時間が長くなってしまう。
【００５４】
そこで、主コンデンサ１６の充電電圧がある程度上昇した後は、スイッチングトランジスタ４ａがターンＯＦＦする毎に１次電圧を検出せずに、複数回のスイッチング動作を行う毎に（スイッチングトランジスタ４ａの複数回のスイッチング動作に合わせて）、或いはより長い数ミリ秒のある時間間隔で１次電圧をＡ／Ｄコンバータ１５１により検出することにより、主コンデンサ１６の充電時間を短縮することも可能である。
【００５５】
また、主コンデンサ１６の充電電圧の上昇に応じてその充電電圧の上昇速度はエキスポネンシャル的に遅くなるため、１次電圧の検出インターバルは、一定にすることなく、主コンデンサ１６の充電電圧の上昇に応じて徐々に長くしていくことも可能である。
【００５６】
［第３の実施の形態］
図１１は、本発明の第３の実施の形態に係るストロボ装置の構成を示す回路図であり、この第３の実施の形態に係るストロボ装置には、図５に示した第２の実施の形態に係るストロボ装置と同様に、ＯＰアンプ１８，２３、抵抗１９、スイッチング素子２１、及び記憶用コンデンサ２２により構成されたラッチ回路が設けられている。ただし、第２の実施の形態では、ＯＰアンプ１８の非反転入力端子は、分圧抵抗７，８の中点に接続されていたが、第３の実施の形態では、ＯＰアンプ１８の非反転入力端子は、トランス６の１次巻線Ｐのアース側（電流流出側）に挿入された分圧抵抗２６，２７の中点に接続されている。
【００５７】
また、第１，２の実施の形態では、発振用のスイッチング素子としては、ＰＮＰ型のスイッチングトランジスタを使用していたが、第３の実施の形態では、ＮＰＮ型のスイッチングトランジスタ４ｂを使用している。
【００５８】
さらに、このスイッチングトランジスタ４ｂのエミッタは電池１の負極に、コレクタはトランス６の１次巻線Ｐの一端（電流流入側）に接続されている。トランス６の１次巻線Ｐの他端は電池１の陽極に接続されている。
【００５９】
また、第３の実施の形態では、電池１の電圧をラッチするためのラッチ回路が新たに設けられている。このラッチ回路は、ＯＰアンプ３０、スイッチング素子２８、及び記憶用コンデンサ２９により構成され、ＯＰアンプ３０の反転入力端子は出力端子に直結されてボルテージフォロアとして構成されることにより、ゲインは１倍となっている。また、ＯＰアンプ３０の非反転入力端子は、スイッチング素子２８の電流入出力端子、記憶用コンデンサ２９を介して、電池１に並列に接続された分圧抵抗２４，２５の中点に接続され、出力端子は、ラインＬｇを介してカメラ回路部１７内のＡ／Ｄコンバータ１５１に接続されている。
【００６０】
さらに、スイッチング素子２８のスイッチング制御端子は、スイッチング素子２１のスイッチング制御端子と接続されラインＬｈを介してカメラ回路部１７内のＡ／Ｄコンバータ１５１に接続されている。なお、分圧抵抗２４，２５の抵抗値の比と、分圧抵抗２６，２７の抵抗値の比はここでは同一としており、主コンデンサ１６の電位Ｖｃｍは、トランス６の１次巻線Ｐの巻数に対する２次巻線Ｓの巻数の比をｎ、スイッチングトランジスタ４ｂのＯＦＦ時のコレクタ電圧をＶｃｅ、電池１の電圧をＶｂａｔとすると、
【００６１】
［数４］
Ｖｃｍ＝ｎ×（Ｖｃｅ−Ｖｂａｔ）
として示される。
【００６２】
次に、第３の実施の形態に係る主コンデンサ１６の電圧検出動作を、図１２のタイミングチャートを参照しながら説明する。
【００６３】
図１２に示したａは１次電流波形、ｂは２次電流波形、ｃはスイッチングトランジスタ４ｂのコレクタ電圧、ｄは接続ラインＬｈに出力するラッチ信号、ｅはＯＰアンプ２３の出力電圧、ｆはＯＰアンプ２３、３０の出力タイミング、すなわちＡ／Ｄコンバータ１５１によるスイッチングトランジスタ４ｂのコレクタ電圧、電池１の電圧の検出タイミングを示している。
【００６４】
マイコン１５０は、ｃに示した減衰振動ノイズが少なくなる所定時間ｔ後に、ｄに示したＨｉｇｈハイレベルのラッチ信号を出力することにより、スイッチング素子２１，２８をＯＮし、分圧抵抗２６，２７により分圧されたスイッチングトランジスタ４ｂのコレクタ電圧、分圧抵抗２４，２５により分圧された電池１の電圧を、それぞれ記憶用コンデンサ２２，２９に記憶させる。この記憶用コンデンサ２２，２９に記憶されたスイッチングトランジスタ４ｂの分圧に係るコレクタ電圧、電池１の分圧に係る電圧は、それぞれＯＰアンプ２３とラインＬｆ、ＯＰアンプ３０とラインＬｇを介してＡ／Ｄコンバータ１５１に出力されて、Ａ／Ｄ変換される。
【００６５】
マイコン１５０は、それらＡ／Ｄ変換されたスイッチングトランジスタ４ｂの分圧に係るコレクタ電圧、電池１の分圧に係る電圧を、ｆに示したタイミングで取り込み、数式４に示した演算式に基づいて、主コンデンサ１６の電圧を検出する。なお、数式４における（Ｖｃｅ−Ｖｂａｔ）、すなわち、（スイッチングトランジスタ４ｂのコレクタ電圧Ｖｃｅ−電池１の電圧Ｖｂａｔ）は、スイッチングトランジスタ４ｂのＯＦＦ時にトランス６の２次電流により誘起される１次電圧である。
【００６６】
第３の実施の形態では、このような処理により、第２の実施の形態と同様に、動作速度の遅い安価なマイコンでも、減衰振動ノイズを除いた正確な１次電圧を確実に取り込めるようにしている。
【００６７】
なお、第３の実施の形態では、電池１の電圧を検出するために分圧抵抗２４，２５と記憶用コンデンサ２９を中核とするラッチ回路とを設けたが、これらを用いることなく、分圧抵抗２６の接続先をスイッチングトランジスタ４ｂのコレクタと電池１の陽極との間で切り換え可能に構成することにより、主コンデンサ１６の電圧検出回路を簡素化することも可能である。また、スイッチングトランジスタ４ｂ（ＮＰＮトランジスタ）の代わりにＮチャネルＦＥＴを使用することも可能である。
【００６８】
［第４の実施の形態］
図１３は、本発明の第４の実施の形態に係るストロボ装置の構成を示す回路図であり、この第４の実施の形態に係るストロボ装置では、図１１に示した第３の実施の形態に係るストロボ装置の構成要素の中から、電池１の電圧を検出ための分圧抵抗２４，２５と、電池１の電圧をラッチするためのＯＰアンプ３０、スイッチング素子２８、及び記憶用コンデンサ２９が削除されている。また、発振制御用のスイッチング素子としては、第３の実施の形態では、ＮＰＮ型のスイッチングトランジスタ４ｂを使用していたが、第４の実施の形態では、ＮチャネルＦＥＴ４ｃを使用している。ただし、発振制御用のスイッチング素子として、ＮＰＮ型のスイッチングトランジスタを使用してもよい。  
【００６９】
そして、第４の実施の形態では、マイコン１５０は、カメラ回路部１７内のバッテリチェック回路１２４から電池１の電圧を取得し、この電池１の電圧とＮチャネルＦＥＴ４ｃのドレインの電圧との差を求めて、数式４に示した演算式に基づいて主コンデンサ１６の電圧を検出している。この場合、ＮチャネルＦＥＴ４ｃのドレインの電圧としては、第２，３の実施の形態と同様の趣旨で、減衰振動ノイズが重畳されていないものをラッチして使用することは言うまでもない。
【００７０】
このように、第４の実施の形態では、新たな素子を追加することなく既存の回路を用いて、主コンデンサ１６の電圧を検出するための電圧である電池１の電圧を取得しているので、第３の実施の形態よりも一層、小型化・低価格化を図ることが可能となる。
【００７１】
なお、本発明は、上記の実施の形態に限定されることなく、例えば、フライバックコンバータの代わりにフォワードコンバータを用いたストロボ装置に適用することも可能である。
【図面の簡単な説明】
【００７２】
【図１】第１の実施の形態に係るストロボ装置の構成を示す回路図である。
【図２】撮影動作を示すフローチャートである。
【図３】撮影動作を示すフローチャートである（図２の続き）。
【図４】第１の実施の形態に係る充電処理を示すフローチャートである。
【図５】第２の実施の形態に係るストロボ装置の構成を示す回路図である。
【図６】第２〜第４の実施の形態に係る充電処理を示すフローチャートである。
【図７】主コンデンサの電圧と２次電流の放出時間との関係を示す図である。
【図８】第２の実施の形態における充電処理時の各部の波形を示す図である（主コンデンサの電圧が低い場合）。
【図９】第２の実施の形態における充電処理時の各部の波形を示す図である（主コンデンサの電圧が中程度の場合）。
【図１０】第２の実施の形態における充電処理時の各部の波形を示す図である（主コンデンサの電圧が高い場合）。
【図１１】第３の実施の形態に係るストロボ装置の構成を示す回路図である。
【図１２】第３の実施の形態における充電処理時の各部の波形を示す図である。
【図１３】第４の実施の形態に係るストロボ装置の構成を示す回路図である。
【図１４】主コンデンサの電圧と分圧電圧との関係を示す図である。
【図１５】従来のストロボ装置の構成を示す回路図である。
【符号の説明】
【００７３】
１…電池
４ａ，４ｂ…スイッチングトランジスタ（発振制御用のスイッチング素子）
４ｃ…ＮチャネルＦＥＴ（発振制御用のスイッチング素子）
６…トランス
７，８，２４，２５，２６，２７…分圧抵抗（第１の検出手段）
１６…主コンデンサ
１７…カメラ回路部
１８，２３，３０…ＯＰアンプ（ラッチ手段）
２１，２８…スイッチング素子（ラッチ手段）
２２，２９…記憶用コンデンサ（ラッチ手段）
１５０…マイクロコンピュータ（第２の検出手段）
【図１】
2005317278.tif 000003
【図２】
2005317278.tif 000004
【図３】
2005317278.tif 000005
【図４】
2005317278.tif 000006
【図５】
2005317278.tif 000007
【図６】
2005317278.tif 000008
【図７】
2005317278.tif 000009
【図８】
2005317278.tif 000010
【図９】
2005317278.tif 000011
【図１０】
2005317278.tif 000012
【図１１】
2005317278.tif 000013
【図１２】
2005317278.tif 000014
【図１３】
2005317278.tif 000015
【図１４】
2005317278.tif 000016
【図１５】
2005317278.tif 000017